(57)【要約】      （修正有）【課題】扇いでいる最中に係合箇所が外れてうちわとして使用できなくなるのを防ぐ携帯扇子型うちわを提供する。【解決手段】一対の親骨２，３と、親骨２，３の間に配置され厚みが薄い複数の中骨４と、親骨２，３及び中骨４の基端側にこれらの全てを貫通して設けられた要軸５と、親骨２，３及び全ての中骨４に固着され蛇腹状に屈曲する折り目が形成された扇面６とから構成し、親骨２，３及び複数の中骨４を要軸５を中心として３６０度全開自在にすると共に、要軸５の反対側となり且つ中骨４の先端より長い親骨２，３の先端側に、３６０度全開時に一方の親骨と他方の親骨とが重ね合って係合し且つうちわとして使用時に手で把持する係合把持部７，８をそれぞれ設けた。【選択図】図１
0003173001.tif 000002
【実用新案登録請求の範囲】
【請求項１】
一対の親骨と、両親骨の間に配置され厚みが薄い複数の中骨と、両親骨及び中骨の基端側にこれらの全てを貫通して設けられた要軸と、両親骨及び全ての中骨に固着され蛇腹状に屈曲する折り目が形成された扇面とから構成し、上記一対の親骨及び複数の中骨を要軸を中心として３６０度全開自在にすると共に、要軸の反対側となり且つ中骨の先端より長い両親骨の先端側に、３６０度全開時に一方の親骨と他方の親骨とが重ね合って係合し且つうちわとして使用時に手で把持する係合把持部をそれぞれ設けたことを特徴とする携帯扇子型うちわ。
【請求項２】
一対の親骨と、両親骨の間に配置され厚みが薄い複数の中骨と、両親骨及び中骨の基端側にこれらの全てを貫通して設けられた要軸と、両親骨及び全ての中骨に固着され蛇腹状に屈曲する折り目が形成された扇面とから構成し、上記一対の親骨及び複数の中骨を要軸を中心として３６０度全開自在にすると共に、要軸の反対側となり且つ中骨の先端より長い両親骨の先端側に、３６０度全開時に一方の親骨と他方の親骨とが重ね合って係合し且つうちわとして使用時に手で把持する係合把持部をそれぞれ設け、係合把持部の互いに当接する内側表面に、両者の当接状態を強化し且つ扇面の開き方向でない方向に開かれるのを阻止すべく、雌雄係合する凸部と受部を形成したことを特徴とする携帯扇子型うちわ。
【請求項３】
受部の穴は、扇面の開き方向でない側の穴の内周側面が略垂直内周側面に形成され、扇面の正しい開き方向となる側の穴の内周側面が内周傾斜側面に形成され、受部の穴の略垂直内周側面に当接する側の凸部の側面は略垂直凸側面に形成されている請求項２記載の携帯扇子型うちわ。
【請求項４】
一対の親骨と、両親骨の間に配置され厚みが薄い複数の中骨と、両親骨及び中骨の基端側にこれらの全てを貫通して設けられた要軸と、両親骨及び全ての中骨に固着され蛇腹状に屈曲する折り目が形成された扇面とから構成し、上記一対の親骨及び複数の中骨を要軸を中心として３６０度全開自在にすると共に、要軸の反対側となり且つ中骨の先端より長い両親骨の先端側に、３６０度全開時に一方の親骨と他方の親骨とが重ね合って係合し且つうちわとして使用時に手で把持する係合把持部をそれぞれ設け、係合把持部の互いに向かい合う内側表面に、両者の当接状態を強化し且つ扇面の開き方向でない方向に開かれるのを阻止すべく、向かい合う他方の係合把持部に向けて突出する係合突起体をそれぞれ並設したことを特徴とする携帯扇子型うちわ。
【請求項５】
両係合突起体は共に、扇面の開き方向でない側にそれぞれ突出形成されている請求項４記載の携帯扇子型うちわ。
【請求項６】
両係合突起体の内側表面には、磁石が取り付けられている請求項４記載の携帯扇子型うちわ。
【請求項７】
両係合突起体の内側表面には、雌雄係合する凸部と受部が形成されている請求項４記載の携帯扇子型うちわ。
【請求項８】
要軸を回転中心として一対の親骨及び複数の中骨を回転方向に付勢する捩りバネが要軸に装着されている請求項１、請求項２又は請求項４の何れかに記載の携帯扇子型うちわ。
【考案の詳細な説明】
【技術分野】
【０００１】
この考案は、現有扇子の扇面部分の約１８０度開閉を３６０度開閉できるようにした携帯扇子型うちわに関するものである。
【背景技術】
【０００２】
現有扇子の約１８０度開閉を３６０度開閉できるようにした扇子型うちわとして、例えば、実用新案登録台３０６４０３４号の「うちわ型ポケット扇子」、実用新案登録台３０７７３０１号の「中骨の改良されたうちわ状扇子」が出願されている。
ところで、実用新案登録台３０６４０３４号の「うちわ型ポケット扇子」及び実用新案登録台３０７７３０１号の「中骨の改良されたうちわ状扇子」のいずれも、扇子の一方の親骨を３６０度開き、開いた親骨に形成した係合凸部（又は係合凹部）を他方の親骨に形成された係合凹部（又は係合凸部）に係合して、３６０度開いた後の扇子の一方の親骨を他方の親骨に止着している。そして、うちわとして使用する場合には、親骨部分を握り柄として手で握って扇いでいる。
【先行技術文献】
【特許文献】
【０００３】
【特許文献１】実用新案登録台３０６４０３４号
【特許文献２】実用新案登録台３０７７３０１号
【考案の概要】
【考案が解決しようとする課題】
【０００４】
しかし、親骨を握り柄として手で握って扇ぐ場合において、前記の実用新案登録台３０６４０３４号及び実用新案登録台３０７７３０１号にあっては、一方の親骨と他方の親骨との係合箇所は、握り柄となった先端より少し扇面側寄りに設けられているため、係合箇所より握り柄となった先端部分を手で握って扇いでいる最中に、一方の親骨と他方の親骨とがその係合箇所で外れて、扇面が３６０度開いている状態から閉じる方向に蛇腹状に収縮して、うちわとして使用できなくなることが考えられる。
【０００５】
この考案は、上記のような課題に鑑み、その課題を解決すべく創案されたものであって、その目的とするところは、３６０度全開した一方の親骨と他方の親骨とを重ねて係合させ、この重ねあった部分を手で握るようにすることで、扇いでいる最中に係合箇所が外れてうちわとして使用できなくなるのを防ぐことのできる携帯扇子型うちわを提供することにある。
【課題を解決するための手段】
【０００６】
以上の課題を達成するために、請求項１の考案は、一対の親骨と、両親骨の間に配置され厚みが薄い複数の中骨と、両親骨及び中骨の基端側にこれらの全てを貫通して設けられた要軸と、両親骨及び全ての中骨に固着され蛇腹状に屈曲する折り目が形成された扇面とから構成し、上記一対の親骨及び複数の中骨を要軸を中心として３６０度全開自在にすると共に、要軸の反対側となり且つ中骨の先端より長い両親骨の先端側に、３６０度全開時に一方の親骨と他方の親骨とが重ね合って係合し且つうちわとして使用時に手で把持する係合把持部をそれぞれ設けた手段よりなるものである。
【０００７】
また、請求項２の考案は、一対の親骨と、両親骨の間に配置され厚みが薄い複数の中骨と、両親骨及び中骨の基端側にこれらの全てを貫通して設けられた要軸と、両親骨及び全ての中骨に固着され蛇腹状に屈曲する折り目が形成された扇面とから構成し、上記一対の親骨及び複数の中骨を要軸を中心として３６０度全開自在にすると共に、要軸の反対側となり且つ中骨の先端より長い両親骨の先端側に、３６０度全開時に一方の親骨と他方の親骨とが重ね合って係合し且つうちわとして使用時に手で把持する係合把持部をそれぞれ設け、係合把持部の互いに当接する内側表面に、両者の当接状態を強化し且つ扇面の開き方向でない方向に開かれるのを阻止すべく、雌雄係合する凸部と受部を形成した手段よりなるものである。
【０００８】
また、請求項４の考案は、一対の親骨と、両親骨の間に配置され厚みが薄い複数の中骨と、両親骨及び中骨の基端側にこれらの全てを貫通して設けられた要軸と、両親骨及び全ての中骨に固着され蛇腹状に屈曲する折り目が形成された扇面とから構成し、上記一対の親骨及び複数の中骨を要軸を中心として３６０度全開自在にすると共に、要軸の反対側となり且つ中骨の先端より長い両親骨の先端側に、３６０度全開時に一方の親骨と他方の親骨とが重ね合って係合し且つうちわとして使用時に手で把持する係合把持部をそれぞれ設け、係合把持部の互いに向かい合う内側表面に、両者の当接状態を強化し且つ扇面の開き方向でない方向に開かれるのを阻止すべく、向かい合う他方の係合把持部に向けて突出する係合突起体をそれぞれ並設した手段よりなるものである。
【考案の効果】
【０００９】
以上の記載より明らかなように、この考案に係る携帯扇子型うちわによれば、次のような極めて実用的有益なる効果を奏する。
（１）３６０度全開した一方の親骨と他方の親骨とを背中合わせに重ね合わせて係合させ、この重ねあった部分を手で握る構造になっているので、扇いでいる最中も係合箇所をしっかりと手でにぎっているため、扇いでいる最中に係合箇所が外れてうちわとして使用できなくなるのを防ぐことができる
（２）現有扇子は扇の要を持ってあおぐので、扇面と握る要の距離が近いため、しなりを利用した運動が出采ない、その為手首や指に負担がかり、疲れが早く来る。うちわ方式にすれば、クッション（しなり）を最大限に利用でき手首の疲れも薄れ持続性を保つことができる。
（３）現有扇子の開き勝手は、左開きが正常でないにもかかわらず、左右どちらにも開くが、提案の本件は、左開きが出来ない構造としている。又開いた状態での握り手部分を交叉させることにより、しっかり固定出来るので、あおぐ動作が安定する。
（４）３６０度全開することにより、扇面の面積は確保できるので、高さ方向を短くすることが可能となり、扇子本体の長さも短くなる、又、扇面の先端は親骨と握り手部分で囲まれるので、携帯時に損傷を受けない構造となり、一層便利となる。
（５）骨と中骨との間を、現有扇子よりも少し空けることにより中骨の本数は現有扇子と同等程度となる、このことは扇面の高さが低い分、中骨のラップ代が取れることによる。
（６）扇面の形状や広さを、使う人、年代により自由に変化させる、又扇面に描く、絵や写真、文字も自由な発想で表示すれば、より一層の見る楽しさ、持つ楽しさが展開できる。形状としては例えば、オランダ風車型、観覧車型、水車型、花型、ハート型、動物型などである。また、扇面に描く図柄としては例えば、風車、HTB風景、観光名所、水車、山里の風景、花火、雪景色、富士山、花、クラッシックカー、動物、などである。
【図面の簡単な説明】
【００１０】
【図１】この考案を実施するための形態を示す全開時の携帯扇子型うちわの一部切り欠き正面図である。
【図２】（Ａ）はこの考案を実施するための形態を示す全閉時の携帯扇子型うちわの正面図、（Ｂ）は全閉時の携帯扇子型うちわの側面図である。
【図３】この考案を実施するための形態を示す半開き時の携帯扇子型うちわの正面図である。
【図４】（Ａ）はこの考案を実施するための形態を示す全閉時の係合把持部側の拡大正面図、（Ｂ）は全閉時の係合把持部側の拡大側面図、（Ｃ）は同図（Ａ）の矢視断面図である。
【図５】この考案を実施するための形態を示す全開時の他例の携帯扇子型うちわの一部切り欠き正面図である。
【図６】（Ａ）はこの考案を実施するための形態を示す全閉時の他例の携帯扇子型うちわの正面図、（Ｂ）は全閉時の他例の携帯扇子型うちわの側面図である。
【図７】この考案を実施するための形態を示す半開き時の他例の携帯扇子型うちわの正面図である。
【図８】（Ａ）はこの考案を実施するための形態を示す全閉時の他例の係合把持部側の拡大正面図、（Ｂ）は全閉時の他例の係合把持部側の拡大側面図、（Ｃ）（Ｄ）は同図（Ｂ）の矢視断面図である。
【図９】この考案を実施するための形態を示す全閉時の要軸側の拡大断面図である。
【考案を実施するための形態】
【００１１】
以下、図面に記載の考案を実施するための形態に基づいて、この考案をより具体的に説明する。
【００１２】
図１〜図９において、携帯扇子型うちわ１は、少し厚みのある一対の親骨２，３と、親骨２，３の間に配置され厚みが薄い複数の中骨４と、親骨２，３及び中骨４の基端側にこれらの全てを貫通して設けられた要軸５と、親骨２，３及び全ての中骨４に固着され蛇腹状に屈曲する折り目が形成された扇面６と、要軸５の反対側となる親骨２，３の先端側に設けられた係合把持部７，８とから構成されている。
【００１３】
上記の携帯扇子型うちわ１は、要軸５を中心に親骨２，３の一方を相対的に３６０度の角度に１回転して全開させると、要軸５の周囲に同心円状に展開する円形の扇面６が現れ、円形の扇面６の外側まで延びる親骨２，３の先端側を柄として手で掴んで扇ぐことで、円形に展開した扇面６で風を起こして、うちわとして使用できるものである。また、携帯扇子型うちわ１は閉じているときには、閉じた扇子と同じような形状となってコンパクトになり、扇子を携帯所持するときと同じような状態で取り扱うことができる利点を有する。
【００１４】
一対の親骨２，３は、閉じた状態では扇子の親骨と同じ機能を果たす。つまり、閉じている状態でその間に重ねて配置された複数の中骨４が簡単に曲がったり折れたりしないに保護している。また一対の親骨２，３は、これを３６０度方向に開いた全開状態ではうちわの柄としての機能を果たすので、扇いでいる最中に簡単に曲がったり折れたりしない構造になっている。このため、親骨２，３は既に述べたように少し厚みのある形状から作られている。また、親骨２，３の長さ方向の両端部分は丸みを帯びた形状に形成されている。
【００１５】
複数の中骨４は、一対の親骨２，３の間に積層状態に挟まれて配置されている。携帯扇子型うちわ１を３６０度方向に開いた全開状態で、複数の中骨４は要軸５を中心として放射状に展開する。各中骨４は、既に述べたようにその厚みが薄く、又要軸５寄り側の板幅は親骨２，３と同じであるが、途中からその先端側に向かって板幅がその半分程に狭くなっている。この狭くなっている部分の両面に扇面６が貼り付けられている。
【００１６】
一対の親骨２，３の間に配置された複数の中骨４の基端側は、つまり長さ方向の要軸５側は一対の親骨２，３と同じ長さになっており、その端部も親骨２，３の端部と同一の丸みを帯びた形状に形成されている。しかしその反対側となる各中骨４の先端側の長さは親骨２，３の先端よりも短い。各中骨４は親骨２，３に比べて例えば２〜３割前後ほど短い。つまり親骨２，３はこの差の２〜３割長い部分が、３６０度方向に全開した状態で柄となる部分だからである。
【００１７】
一対の親骨２，３及びその間に配置された複数の中骨４の各基端側には、これらを束ねて要となる要軸５がこれらの積層した厚み方向に貫通して設けられている。携帯扇子型うちわ１は、この要軸５を回転中心として３６０度方向に全開し、一対の親骨２，３は３６０度回転して再び一致し、その間に配置された複数の中骨４は一対の親骨２，３の間を所定の角度で次々に開いて放射状になる。
【００１８】
これらの積層した厚み方向に貫通する要軸５は、貫通した両端が一対の親骨２，３のそれぞれの表面側から少し突出している。この突出した部分の周縁の先端側は、周縁の外側に向かって丸みを帯びた円形状になっている。つまり、要軸５の突出した部分の周縁の先端側の直径は、一対の親骨２，３及び複数の中骨４を貫通する内部部分の直径より大きい。これによって、要軸５は一対の親骨２，３及び複数の中骨４が外れないように束ねている。
【００１９】
また、一対の親骨２，３の表面から突出する両端がその周縁の外側に向かって丸みを帯びた円形状になっている要軸５は、その中心部分が空洞つまり中空になり又その両端が円形に開口している。これは、携帯扇子型うちわ１を３６０度方向に開いた全開状態で、例えば壁などに飾る場合に、これを引っ掛けるピンなどが挿通できるようにするためである。
【００２０】
さらに、一対の親骨２，３及び複数の中骨４を貫通する部分の要軸５の内部部分の側周面の周囲には、捩りバネ５１が必要に応じて装着されている。捩りバネ５１は、要軸５を回転中心として一対の親骨２，３及び複数の中骨４を、捩る方向つまり回転方向に付勢するものである。捩りバネ５１には例えばコイルバネが使用される。例えばコイルバネからなる捩りバネ５１の両端５１ａは親骨２，３にそれぞれ固定されている（図９参照）。
【００２１】
捩りバネ５１の付勢方向としては、３６０度方向に開いた全開状態の一対の親骨２，３及びその間にある複数の中骨４を全閉状態に向けて回転させる方向がある。この付勢方向の場合には、全開状態の親骨２の係合把持部７と親骨３の係合把持部８との係合状態を手を使って解除すると、捩りバネ５１の付勢力によって、３６０度方向に開いた全開状態の一対の親骨２，３の何れか一方が相対的に全閉方向に回転し、全閉の直前まで閉じる。最後は手を使って閉じて全閉状態の親骨２の係合把持部７と親骨３の係合把持部８とを再び係合させることで簡単に携帯扇子型うちわ１を閉じることができる。
【００２２】
また、上記とは反対に、捩りバネ５１の付勢方向として、全閉状態の一対の親骨２，３及びその間にある複数の中骨４を３６０度方向に開く全開状態に向けて回転させる方向がある。この付勢方向の場合には、全閉状態の親骨２の係合把持部７と親骨３の係合把持部８との係合状態を手を使って解除すると、捩りバネ５１の付勢力によって、全閉状態の一対の親骨２，３の何れか一方が相対的に３６０度方向の全開方向に回転し、全開の直前まで開く。最後は手を使って開いて全開状態の親骨２の係合把持部７と親骨３の係合把持部８とを再び係合させることで簡単に携帯扇子型うちわ１を開くことができる。
【００２３】
さらに、捩りバネ５１の付勢方向としてはその中間のものもある。中間のものの捩りバネ５１の付勢方向は、一対の親骨２，３及び複数の中骨４が１８０度前後の半開状態で付勢力がゼロになるものである。つまり、中間のものの捩りバネ５１の付勢方向は、３６０度方向に開いた全開状態の一対の親骨２，３及び複数の中骨４を１８０度前後の半開状態に向けて回転させ、反対に全閉状態の一対の親骨２，３及び複数の中骨４を１８０度前後の半開状態に向けて回転させる方向である。
【００２４】
この中間の付勢方向の場合には、全開状態の親骨２の係合把持部７と親骨３の係合把持部８との係合状態を手を使って解除すると、捩りバネ５１の付勢力によって、３６０度方向に開いた全開状態の一対の親骨２，３の何れか一方が相対的に閉方向に１８０度前後回転して、携帯扇子型うちわ１を簡単に半分開いた状態に狭めることができる。又全閉状態の親骨２の係合把持部７と親骨３の係合把持部８との係合状態を手を使って解除すると、捩りバネ５１の付勢力によって、全閉状態の一対の親骨２，３の何れか一方が相対的に開方向に１８０度前後回転して、携帯扇子型うちわ１を簡単に半分開いた状態にすることができる。
【００２５】
扇面６は、３６０度方向に開いた全開状態で例えば円形になり、蛇腹状に屈曲して折り重なって全閉状態に閉じる。扇面６は全開状態に開いて携帯扇子型うちわ１として使用するときには、扇ぐとこの面で風を起こす。円形に展開する扇面６は、その中央部分が円形に開口されている。円形に展開する扇面６の表裏両面には、円周方向に向かって蛇腹状に屈曲する折り目が形成されている。扇面６の各折り目は、隣り合う折り目のその中間に各１本の中骨４が入るように形成されている。
【００２６】
扇面６は円形の外周縁の一部から内周縁の一部にわたって、円形の中心に向かって切断されている。その切断部分を境に、その一端側は親骨２の長さ方向の中間部分の内側表面に固着され、他端側は親骨３の長さ方向の中間部分の内側表面に固着されている。扇面６の隣り合う折り目の各中間は、３６０度方向に放射状に開く各中骨４の対応するそれぞれの先半分側に固着されている。扇面６は表面６１と裏面６２の２枚の面を貼重ねて形成されるが、表面６１と裏面６２の２枚の間に各中骨４の先半分側をサンドイッチ状に挟む状態で固着されている。
【００２７】
ところで、扇面６の平面形状は前述の円形の形状だけでなく、例えば、オランダ風車型、観覧車型、水車型、花型、ハート型、動物型などがある。また、扇面６の表面には種々の図柄が描かれることがある。扇面６に描く図柄としては例えば、風車、HTB風景、観光名所、水車、山里の風景、花火、雪景色、富士山、花、クラッシックカー、動物、などである。
【００２８】
係合把持部７は要軸５の反対側となる親骨２の先端側に設けられている。同様に係合把持部８は要軸５の反対側となる親骨８の先端側に設けられている。この係合把持部７と係合把持部８とは、係合把持部７，８の何れか一方の係合部が他方の係合部と係合関係になることで、３６０度方向に開いた全開状態で親骨２と親骨３とを係止させる。
【００２９】
また、前述の捩りバネ５１が装着されている場合には、この係合把持部７と係合把持部８とは、係合把持部７，８の何れか一方の係合部が他方の係合部と係合関係になることで、全閉状態で親骨２と親骨３とを係止させて、捩りバネ５１の付勢力で親骨２と親骨３とが勝手に開かないようにしている。
【００３０】
親骨２，３の先端側にそれぞれ設けられた係合把持部７，８の何れか一方の係合部が他方の係合部と係合関係になる構造としては、例えば図１〜図４、図５〜図８に示すようなものがある。図に示す構造は例示であって、これ以外の構造でもよい。
【００３１】
図１〜図４に示す構造では、親骨２，３の先端側にそれぞれ設けられた係合把持部７，８は、携帯扇子型うちわ１を閉じた全閉状態で、親骨２，３の表面の幅方向に少し膨らむ形状に形成され、又親骨２，３の側面方向に対しては互いに接近する方向に形成されて、内側表面同士は当接している。しかも、親骨２，３の先端側にそれぞれ設けられた係合把持部７，８の互いに当接する内側表面には、両者の当接状態を強化し且つ扇面６の開き方向でない方向に開かれるのを阻止するために、雌雄係合する凸部と受部が形成されている。
【００３２】
図面では、親骨２の先端側に設けられている係合把持部７の内側表面の中央付近に例えば凸部７１が形成され、親骨２の先端側に設けられている係合把持部８の内側表面の中央付近に受部８１が形成されている。なお、係合把持部７，８に形成される凸部と受部を互いに逆に形成してもよい。受部８１は凸部７１の形状に対応した穴から形成されているが、貫通孔でもよい。
【００３３】
親骨３の係合把持部８に形成された受部８１は、扇面６の正しい開き方向でない側の穴の内周側面が略垂直内周側面８１ａに形成されている。親骨２の係合把持部７に形成された凸部７１の略垂直に突出する略垂直凸側面７１ａは、この受部８１の穴の略垂直内周側面８１ａに当接することで当接する側への移動が阻止される。これにより、扇面６の正しい開き方向でない方向に誤って開こうとしたときには、凸部７１の略垂直凸側面７１ａが受部８１の穴の略垂直内周側面８１ａに当接することで、この逆方向への開きは妨げられる（図４（Ｃ）参照）。
【００３４】
つまり、携帯扇子型うちわ１が閉じている状態では、親骨２の係合把持部７の凸部７１の略垂直凸側面７１ａが親骨３の係合把持部８の受部８１の略垂直内周側面８１ａに相対して当接しているため、現有扇子の開き勝手は、左開きが正常でないにもかかわらず、左右どちらにも開くが、左開きができない構造とすることができ、扇面６の折り目方向に沿った正しい開閉が可能となる。扇面６の折り目方向と逆向きに誤って開くことによって、扇面６を早期に傷めるのを回避することができる。
【００３５】
その一方で、親骨３の係合把持部８に形成された受部８１は、扇面６の正しい開き方向となる側の穴の内周側面が内周傾斜側面８１ｂに形成されている。親骨２の係合把持部７に形成された凸部７１の略垂直に突出する略垂直凸側面７１ａは、この受部８１の穴の内周傾斜側面８１ｂの傾斜面に沿って移動して、受部８１の穴から抜け出すことができる。これにより、扇面６の正しい開き方向に開くことができるのである。
【００３６】
また図５〜図８に示す構造では、親骨２，３の先端側にそれぞれ設けられた係合把持部７，８の互いに向かい合う内側表面には、両者の当接状態を強化し且つ扇面６の開き方向でない方向に開かれるのを阻止するために、向かい合う他方の親骨の係合把持部に向けて突出する係合突起体７２，８２がそれぞれ並設されている（図８（Ｃ）（Ｄ）参照）。
【００３７】
すなわち、親骨２の先端側に設けられている係合把持部７にはその内側の扇面６の正しい開き方向でない片方側に、向かい合う他方の親骨３の係合把持部８に向けて突出する係合突起体７２が形成されている。係合突起体７２は親骨２の横断面方向からみると断面Ｌ字型に突出している。
【００３８】
これに対応する親骨３の先端側に設けられている係合把持部８にはその内側の上記係合突起体７２が突出していない側の片方側に、向かい合う他方の親骨２の係合把持部７に向けて突出する係合突起体８２が形成されている。係合突起体８２は親骨３の横断面方向からみると断面逆Ｌ字型に突出している。
【００３９】
係合突起体７１及び係合突起体８２は共に、扇面６の正しい開き方向でない側に突出形成されている。このため、扇面６の正しい開き方向でない方向に誤って開こうとしたときには、係合突起体７２及び係合突起体８２の内側表面同士が互いに当接し合って、この開きを妨げるのである。
【００４０】
つまり、携帯扇子型うちわ１が閉じている状態では、親骨２の係合把持部７の係合突起体７２と親骨３の係合把持部８の係合突起体８２とはその内側表面同士が相対して当接しているため、現有扇子の開き勝手は、左開きが正常でないにもかかわらず、左右どちらにも開くが、左開きができない構造とすることができ、扇面６の折り目方向に沿った正しい開閉が可能となる。扇面６の折り目方向と逆向きに誤って開くことによって、扇面６を早期に傷めるのを回避することができる。
【００４１】
係合突起体７２及び係合突起体８２の内側表面には、両者の当接状態をさらに強化するために、必要に応じて磁石が取り付けられることがある。磁石は互いに引き合う向きに取り付けられる。係合突起体７２の内側表面に例えばＮ極の磁石７２ａ、係合突起体８２の内側表面にはこれと引き合うＳ極の磁石８２ａである（図８（Ｃ）参照）。或いは係合突起体７２，８２の何れかに磁石を取り付け、他方に磁性材の例えば鉄板を取り付けられることがある。
【００４２】
また磁石に代えて、係合突起体７２，８２の内側表面には、両者の当接状態をさらに強化するために、必要に応じて雌雄係合する凸部と受部が形成されることがある。係合把持部７に例えば凸部７２ｂが形成され、係合把持部８に受部８２ｂが形成されている。凸部と受部を互いに逆に形成してもよい。受部８２ｂは凸部７２ｂの形状に対応した凹型の穴であったり、貫通する孔であってもよい。また、この雌雄係合する凸部と受部としては、例えば衣服等で使用されるホックなどの構造を用いてもよい（図８（Ｄ）参照）。
【００４３】
次に、上記考案を実施するための形態の構成に基づく使用方法について以下説明する。
携帯扇子型うちわ１をうちわとして使用する場合には、要軸５を中心として扇面６の正しい開き方向に向けて親骨２，３の一方を相対的に３６０度方向に回転させる。
【００４４】
親骨２，３の先端側の係合把持部７，８の内側表面に凸部７１、受部８１が形成されている場合には、親骨２の係合把持部７に形成された凸部７１の略垂直に突出する略垂直凸側面７１ａは、この受部８１の穴の内周傾斜側面８１ｂの傾斜面に沿って移動して、受部８１の穴から抜け出すことができる。これにより、扇面６の正しい開き方向に開かれる。
【００４５】
また、親骨２，３の先端側の係合把持部７，８の内側表面に係合突起体７２，８２が形成されている場合には、係合突起体７２，８２のそれぞれ外側表面側に向けて開かれるので、係合突起体７２，８２が互いに当接することがないので、これにより、扇面６の正しい開き方向に開かれる。
【００４６】
そして、親骨２，３及び全ての中骨４に固着されている扇面６が要軸５を円形の中心として蛇腹状の屈曲状態から３６０度に展開する。つまり扇面６は周縁が円形で中央部分が円形に切り抜かれた同心円の平面円形型のドーナツ状に展開する。
【００４７】
このとき、一方を相対的に１回転させた親骨２，３の先端側は、扇面６の中心となる要軸５から扇面６の円周縁を通り越して外側まで延びている。扇面６の外側まで延びている親骨２，３の先端側の係合把持部７，８を係合させる。
【００４８】
親骨２，３の先端側の係合把持部７，８の内側表面に凸部７１、受部８１が形成されている場合には、親骨２，３の先端側の係合把持部７，８の内側表面の間隔を、親骨２の係合把持部７に形成された凸部７１の突出長さ分だけ広げて、凸部７１の先端を係合把持部８の内側表面にそってスライドさせて、係合把持部８の受部８１の穴に挿入させる。
【００４９】
親骨２の係合把持部７に形成された凸部７１の略垂直に突出する略垂直凸側面７１ａは、この受部８１の穴の略垂直内周側面８１ａに相対して当接して、携帯扇子型うちわ１を閉じる方向に向けては受部８１の穴から抜け出すことができず、携帯扇子型うちわ１は３６０度方向に開いた全開状態に維持される。
【００５０】
また、親骨２，３の先端側の係合把持部７，８の内側表面に係合突起体７２，８２が形成されている場合には、１回転して係合突起体７２，８２のそれぞれ外側表面同士が接触する段階で、親骨２，３の先端側の係合把持部７，８の係合突起体７２，８２の間隔を、互いに接触しない分だけ広げてかわして、係合突起体７２，８２の内側表面同士が互いに向き合う状態にすることで、携帯扇子型うちわ１は３６０度方向に開いた全開状態に維持される。
【００５１】
携帯扇子型うちわ１は３６０度方向に開いて全開状態した後、この係合把持部７，８を手で掴んで扇ぐことで、所謂うちわとして使用できることになるものである。
【００５２】
携帯扇子型うちわ１を閉じる場合には、扇面６の外側まで延びている親骨２，３の先端側の係合把持部７，８の係合状態を解除し、逆向きに１回転させると、同心円の平面円形型のドーナツ状に展開されていた扇面６は、蛇腹状の屈曲状態に戻り、扇子を閉じたときと同じ状態になり、一見すると扇子のように見える。
【００５３】
携帯扇子型うちわ１の開閉操作において、携帯扇子型うちわ１の要軸５に捩りバネ５１が装着されている場合には、捩りバネ５１の付勢力を利用することで、簡単にその開閉操作を行うことができる。
【００５４】
なお、この考案は上記考案を実施するための形態に限定されるものではなく、この考案の精神を逸脱しない範囲で種々の改変をなし得ることは勿論である。
【符号の説明】
【００５５】
１    携帯扇子型うちわ
２    親骨
３    親骨
４    中骨
５    要軸
５１    捩りバネ
５１ａ  両端
６    扇面
６１    表面
６２    裏面
７    係合把持部
７１    凸部
７１ａ  略垂直凸側面
７２    係合突起体
７２ａ  磁石
７２ｂ  凸部
８    係合把持部
８１    受部
８１ａ  略垂直内周側面
８１ｂ  内周傾斜側面
８２    係合突起体
８２ａ  磁石
８２ｂ  受部
【図１】
0003173001.tif 000003
【図２】
0003173001.tif 000004
【図３】
0003173001.tif 000005
【図４】
0003173001.tif 000006
【図５】
0003173001.tif 000007
【図６】
0003173001.tif 000008
【図７】
0003173001.tif 000009
【図８】
0003173001.tif 000010
【図９】
0003173001.tif 000011